(57)【要約】      （修正有）【課題】スポーツ特に空手を行うときに足に履いて、運動中の衝撃から足の甲を守る足用運動補助具を提供する。【解決手段】足用運動補助具１は、足の形状に形成したソックス本体２と、ソックス本体２の甲に当たる部分から爪先側にわたって設けられ所定面積、所定容積のポケット形収納部３とからなるソックス４であって、ポケット形収納部３の容積と同じかやや少ない容積の緩衝材５をポケット形収納部に収容して使用する。【選択図】図３
0003189776.tif 000002
【実用新案登録請求の範囲】
【請求項１】
所定の生地で足底、踵、甲などの部位を包めるように足の形状に形成したソックス本体と、
前記ソックス本体の甲に当たる部分から爪先側にわたって設けたられ所定の生地によって所定面積、所定容積に形成されたポケット形収納部とからなるソックスであって、
前記ポケット形収納部の容積と同じかやや少ない容積の緩衝材を前記ポケット形収納部に収容し、運動をするときに履いて使用することを特徴とする足用運動補助具。
【請求項２】
前記所定の生地は、ウエットスーツの生地を使用したものであることを特徴とする請求項１記載の足用運動補助具。
【請求項３】
前記ポケット形の収納部の入口部内面と、この入口側内面に対向する前記ソックス本体外側における前記ポケット形の収納部の入口部内面とには、面ファスナーがそれぞれ設けられていることを特徴とする請求項１記載の足用運動補助具。
【請求項４】
前記ソックス本体外側の足底部分に、滑り止めを設けたことを特徴とする請求項１記載の足用運動補助具。
【考案の詳細な説明】
【考案の詳細な説明】
【技術分野】
【０００１】  本考案は、スポーツ特に空手を行うときに、足に履いて使用する足用運動補助具に関するものである。
【背景技術】
【０００２】  この種の足用運動補助具としては、ソックス本体を構成する足底、踝、甲などの部位を発泡系合成ラバーシートと、このラバーシートの片面に伸縮性を有する生地とで成し、しかも該ラバーシートから生地に至って貫通する小孔をその各々の部位全域に設けると共に、少なくとも足底部の床面側に配置した生地の貫通小孔間に塗膜を全域或いは部分的に形成させてなるソックスが知られている（例えば特許文献１）。
【先行技術文献】
【０００３】
【特許文献１】  実用新案登録第３１１９４６４号
【考案の概要】
【考案が解決しようとする課題】
【０００４】  上記従来の足用運動補助具によれば、前記小孔が足の形状に即して伸縮するので、ソックスは局部的に足を締め付けることなく、常に足全体を包むように均等にフィットするという利点があるものの、運動中の衝撃から足の甲を守ることができない欠点があった。【０００５】  本考案は、スポーツ特に空手を行うときに、足に履いて、運動中の衝撃から足の甲を守ることができる足用運動補助具を提供することを目的とする。
【課題を解決するための手段】
【０００６】  上記目的を達成するため、請求項１記載の考案に係る足用運動補助具は、所定の生地で足底、踵、甲などの部位を包めるように足の形状に形成したソックス本体と、前記ソックス本体の甲に当たる部分から爪先側にわたって設けられ所定の生地によって所定面積、所定容積に構成されたポケット形収納部とからなるソックスであって、
前記ポケット形収納部の容積と同じかやや少ない容積の緩衝材を前記ポケット形収納部に収容し、運動をするときに履いて使用するものであることを特徴とする。
請求項２記載の考案は、請求項１記載において、前記所定の生地は、ウエットスーツの生地を使用したものであることを特徴とする。
請求項３記載の考案は、請求項１記載において、前記ポケット形の収納部の入口部内面と、この入口側内面に対向する前記ソックス本体外側における前記ポケット形の収納部の入口部内面とに、面ファスナーがそれぞれ設けられていることを特徴とする。
請求項４記載の考案は、前記ソックス本体外側の足底部分に、滑り止めを設けたことを特徴とする。
【考案の効果】
【０００７】    本考案によれば、所定の生地で足底、踵、甲などの部位を包めるように足の形状に形成したソックス本体と、前記ソックス本体の甲に当たる部分に設けた所定容積のポケット形収納部とから形成されたソックスであって、前記ポケット形収納部の容積と同じかやや少ない容積の緩衝材を前記ポケット形収納部に収容してなるので、スポーツ特に空手を行うときに、足に履いて、運動中の衝撃から足の甲を守ることができるほか、対戦する際には対戦相手に与える衝撃を軽減することができる。
【図面の簡単な説明】
【０００８】
【図１】  本考案に係る足用運動補助具を一部を構成するソックスを示す平面図である。
【図２】  本考案に係る足用運動補助具を一部を構成するソックスを示す底面図である。
【図３】  本考案に係る足用運動補助具の一部断面図である。
【図４】  本考案に係る足用運動補助具の一部を構成する緩衝材を示す図であって、（ａ）は平面図、（ｂ）は断面図、（ｃ）は側面図である。
【考案を実施するための形態】
【０００９】  以下、本考案に係る足用運動補助具を、図１〜図４を参照して説明する。
【００１０】  本考案に係る足用運動補助具１は、図１〜図４に示すように、所定の生地で足底、踵、甲などの部位を包めるように足の形状に形成したソックス本体２と、前記ソックス本体２の甲に当たる部分から爪先側にわたって設けられ所定の生地で所定面積、所定容積のポケット形収納部３とから形成されたソックス４であって、前記ポケット形収納部３の容積と同じかやや少ない容積の緩衝材５を前記ポケット形収納部３に収容し、運動をするときに足（概ねくるぶしから爪先の部分）に履いて使用するものである。このソックス本体２には、図１に示すように、足挿入口６が形成されている。また、前記所定の生地は、ウエットスーツの生地を使用している。
緩衝材は自身が変形することで、外部からの衝撃を和らげ保護対象に衝撃を伝えづらくする機能を持つ素材である。なお、ここでいう保護対象とは、「足」特に「足の甲」のことを指している。この緩衝材には、例えばＮＲ素材（天然ゴム）など保護対象に衝撃を伝えづらくする機能を持つ素材を用いればよい。
【００１１】  前記ポケット形の収納部３の入口部内面７には、図３に示すように、所定幅、所定長さの所謂マジックテープ（登録商標）としての面ファスナー９が設けられている。同様に、前記入口側内面７に対向する前記ソックス本体２の外側８における前記ポケット形の収納部３の入口部内面７ａには、図３に示すように、所定幅、所定長さの面ファスナー９ａが設けられている。前記ポケット形収納部３に緩衝材５を収納した後、前記面ファスナー９，９ａを交合させることにより、前記ポケット形収納部３に収納された緩衝材５が前記ポケット形収納部３の入口部から抜け出るのを防止している。
【００１２】  さらに、前記ソックス本体２の外側の足底部分１０には、図２に示すように、所定の幅で所定長さの滑り止め１１が、爪先側と踵側にそれぞれ３本づつ設けられている。なお、滑り止め１１は、前記ソックス本体２の外側の足底部分１０の全面に設けてもよい。
【００１３】  前記ポケット形収納部３は、図１に示すように、野球のホームベースのように三辺が直角四辺形で、他の一辺が緩く曲がった三角形状をしており、三角形状部分の一方の面と、前記三角形状部分に続く前記直角四辺形部分の一方の面とがソックス本体２に固定されている。また、三角形状部分に対向する前記直角四辺形部分の一辺が開放状態にされて入口部を形成しており、全体としてポケット形に形成されたものとなっている。
【００１４】  前記緩衝材５は、図４（ａ）に示すようにポケット形収納部３と同様な形状に形成されており、全辺の一定幅を徐々に薄く形成している。また、前記緩衝材５は、図４（ｂ）に示すように、所定の曲率でもって、ゆるい逆Ｕ字状に形成されている。このようにする理由は、足の甲の形状に合わせるためである。また、前記緩衝材５は、図４（ｂ）及び図４（ｃ）に示すように、所定の幅及び所定の長さに形成されることにより、前記ポケット形収納部３の容積と同じかやや少ない容積に形成されている。
【００１５】  上述したように構成したことにより、スポーツ特に空手を行うときに、足に履いて、運動中の衝撃から足の甲を守ることができるほか、対戦する際には対戦相手に与える衝撃を軽減することができる。
【符号の説明】
【００１６】１…足用運動補助具
２…ソックス本体
３…ポケット形収納部
４…ソックス
５…緩衝材
９…面ファスナー
１１…滑り止め
【図１】
0003189776.tif 000003
【図２】
0003189776.tif 000004
【図３】
0003189776.tif 000005
【図４】
0003189776.tif 000006